(57)【要約】【課題】直列に接続された電池を収納したケースが長期間にわたって振動を繰り返し受けても、隣接する電池同士の衝突を防止すると共に電池を確実に保持し、かつ、安定した導通を提供する電池緩衝治具及び電池の緩衝方法を提供する。【解決手段】緩衝治具１は、直列に接続される電池同士の衝突を弾性復元力を利用して防止する弾性体２と、この弾性体の一端に電池の電極面と平行になるように接合される負極側当接部３とを備え、導通可能である。弾性体２は、例えば、導通可能なコイルバネ２からなり、このコイルバネ２の内径は電池の正極側突起の外径よりやや大きく、コイルバネ２の最収縮時の長さは電池の正極側の突起の高さよりも長い。負極側当接部３は、例えば、円形状の金属板３からなり、電池の負極側に密着する。【選択図】      図１
2006278026.tif 000002
【特許請求の範囲】
【請求項１】
直列に接続される電池間に取り付けられて、電池間の緩衝を行うための電池緩衝治具であって、
導電性材料により構成された、電池正極の突起が嵌合する正極嵌合部と、
導電性材料により構成された、電池負極に当接する負極当接部と、
前記正極嵌合部と前記負極当接部との間に設けられ、導電性材料により構成された弾性体とを備えることを特徴とする電池緩衝治具。
【請求項２】
請求項１において、前記弾性体はコイルバネにより構成され、このコイルバネの一端部内側に電池正極の突起が嵌合することにより前記嵌合部が構成されることを特徴とする電池緩衝治具。
【請求項３】
直列に接続される電池間に取り付けられて、電池間の緩衝を行うための電池の緩衝方法において、隣接する電池の正極と負極との間に導電性材料からなる弾性体を介装することを特徴とする電池の緩衝方法。
【発明の詳細な説明】
【技術分野】
【０００１】
本発明は、直列に接続される電池同士の衝突を防止する電池緩衝治具及び電池の緩衝方法に関する。
【背景技術】
【０００２】
直列に接続される充電池、乾電池等の電池を収納する電池ケースにおいて、安定した導通を確保するために、電池を振動させないように保持することが必要である。電池の振動を防ぐ方法として、例えば、懐中電灯の電池ケースの負極側には、振動を吸収するためのコイルバネが取り付けられている。
【発明の開示】
【発明が解決しようとする課題】
【０００３】
しかしながら、上述した懐中電灯の構造では、直列に接続される電池同士が直接接触しているために、懐中電灯を携帯して使用する際に、電池ケースが振動を繰り返し受けることにより、互いに接触する電池の負極側の端面と正極側の突起とが繰り返し衝突する。このため、特に、充電を繰り返しながら長期にわたって使用される充電池の場合、かかる衝撃によって負極側の端面がへこみ、電池の使用可能な寿命はまだ十分に残存しているにもかかわらず、電池本体を交換しなければならないという問題点があった。
【０００４】
そこで、本発明は、上記の問題点に鑑みてなされたものであり、直列に接続される電池を収納した電池ケースが長期間にわたって振動を繰り返し受けても、隣接する電池同士の衝突を防止すると共に電池を確実に保持し、かつ、安定した導通を提供する電池緩衝治具及び電池の緩衝方法を提供することを目的とするものである。
【課題を解決するための手段】
【０００５】
上記の目的を達成するため、本発明の電池緩衝治具は、直列に接続される電池間に取り付けられて、電池間の緩衝を行うための電池緩衝治具であって、導電性材料により構成された、電池正極の突起が嵌合する正極嵌合部と、導電性材料により構成された、電池負極に当接する負極当接部と、前記正極嵌合部と前記負極当接部との間に設けられ、導電性材料により構成された弾性体とを備えることを特徴とする（第１の発明）。
【０００６】
第２の発明は、第１の発明において、前記弾性体はコイルバネにより構成され、このコイルバネの一端部内側に電池正極の突起が嵌合することにより前記嵌合部が構成されることを特徴とする。
【０００７】
第３の発明は、直列に接続される電池間に取り付けられて、電池間の緩衝を行うための電池の緩衝方法において、隣接する電池の正極と負極との間に導電性材料からなる弾性体を介装することを特徴とする。
【発明の効果】
【０００８】
本発明による電池緩衝治具を直列に接続される電池間に用いることにより、電池を収納した電池ケースが長期間にわたって振動を繰り返し受けても、隣接する電池同士の衝突を防ぐことができるために、電池が破損することが無くなり、電池を電池の寿命まで使用することができる。
【０００９】
また、電池緩衝治具は導通可能であることから電池同士が接触していなくても、弾性体が振動による電池の動きに追従することにより、安定した導通を確保することができる。
【００１０】
したがって、直列に接続される電池を収納した電池ケースが長期間にわたって振動を繰り返し受けても、隣接する電池同士の衝突を防止すると共に電池を確実に保持し、かつ、安定した導通を提供する電池緩衝治具及び電池の緩衝方法を提供することが可能となる。
【発明を実施するための最良の形態】
【００１１】
以下、本発明に係る耐震壁の好ましい実施形態について図面を用いて詳細に説明する。
【００１２】
図１は、本発明の実施形態に係る緩衝治具の斜視図である。図１に示すように、緩衝治具１は、直列に接続される電池同士の衝突を弾性復元力を利用して緩衝する弾性体２と、この弾性体２の一端に電池の電極面と平行になるように接合される負極側当接部３とを備える。弾性体２、負極側当接部３は何れも導電性材料により構成されており、緩衝治具１は導通可能である。
【００１３】
弾性体２は、例えば、コイルバネ２からなり、このコイルバネ２の内径は電池の正極側突起の外径よりやや大きく、コイルバネ２の最収縮時の長さは電池の正極側の突起の高さよりも長い。なお、本実施形態において、弾性体としてコイルバネ２を用いたが、これに限定されるものではなく、金属製の板バネ等の弾性復元力を有するものであればよい。
【００１４】
負極側当接部３は、例えば、円形状の金属板３からなり、電池の負極側の端面に密着するように電極面と平行な向きにコイルバネ２の端部に接合される。なお、本実施形態において、円形状の金属板３を用いたが、これに限定されるものではなく、ドーナツ形状、角形形状等の導通可能な金属板であればよく、電池ケース等の形状に応じて適宜変更する。
【００１５】
図２は、本発明の実施形態に係る直列に接続される電池間に緩衝治具を配設した状態を示す図である。図２に示すように、２本の電池４（４ａ、４ｂ）が直列に収納される電池ケース５内の電池４ａと電池４ｂとの間に緩衝治具１を配設する。緩衝治具１の円形状の金属板３が電池４ａの負極側の端面６に密着するように、かつ、コイルバネ２の内周に電池４ｂの正極側の突起７が嵌合して正極嵌合部を有するように設置する。
【００１６】
コイルバネ２の最収縮時の長さが電池４ｂの正極側の突起７の高さよりも長いために、電池ケース５が振動を繰り返し受けても電池４ｂの正極側の突起７と電池４ｂの負極側の端面６とは衝突せず、かつ、コイルバネ２が振動による電池４の動きに追従することにより、コイルバネ２と電池４とが良好な接触状態を保ち、安定した導通を可能とする。
【００１７】
上述したように、本発明による緩衝治具１を用いることにより、直列に接続される電池４を収納した電池ケース５が長期間にわたって振動を繰り返し受けても、隣接する電池４同士の衝突を防止すると共に電池４を確実に保持し、かつ、安定した導通を提供することが可能である。また、緩衝治具１を直列に接続される電池４間に用いることにより、電池ケース５が長期間にわたって振動を繰り返し受けても、隣接する電池同士の衝突を防ぐことができるために、電池４がへこむ等の破損をすることが無くなり、電池の寿命まで使用することができる。
【００１８】
なお、本実施形態においては、直列に接続する電池４（４ａ、４ｂ）を２本用いて説明したが、これに限定されるものではなく、３本以上の電池４を用いることが可能である。
【００１９】
また、コイルバネ２の端部内側に電池４の正極側の突起７が嵌合する方法について説明したが、本発明はこれに限定されるものではなく、隣接する電池の正極と負極との間に導電性の弾性体を介装する方法を全て包含するものである。
【図面の簡単な説明】
【００２０】
【図１】本発明の実施形態に係る緩衝治具の斜視図である。
【図２】本発明の実施形態に係る直列に接続される電池間に緩衝治具を配設した状態を示す図である。
【符号の説明】
【００２１】
１  緩衝治具
２  コイルバネ（弾性体）
３  円形状の金属板（負極側当接部）
４  電池
５  電池ケース
６  負極側の端面
７  正極側の突起
【図１】
2006278026.tif 000003
【図２】
2006278026.tif 000004